(57)【要約】【課題】  ＨＤＤ、アンテナ等の配置に関して、高周波ノイズの影響を受けにくい配置構造を備える携帯無線端末を提供する。【解決手段】  携帯無線端末１００の下筐体２の内部には、上部にアンテナ８、下部にＨＤＤ１１が配置され、その間に電池パック９が配置される。また、アンテナ８の近傍に無線ユニット１０を電池パック９に重ねるように配置する。これにより、ＨＤＤ１１が発生する高周波ノイズが電池パック９によりシールドされて、アンテナ８への影響を低減することができる。また、アンテナ８の近傍に無線ユニット１０を配置することにより、無線性能を向上することができる。無線ユニット１０と電池パック９の厚さは、ＨＤＤ１１に比べると薄いため、無線ユニット１０と電池パック９を重ねるように配置することにより、携帯無線端末１００の寸法を大きくすることなく、上記高周波ノイズと無線性能を確保することができる。【選択図】  図３
2007201762.tif 000002
【特許請求の範囲】
【請求項１】
上筐体と下筐体が回動自在に連結した携帯無線端末にあって、
電波の送信受信を行うアンテナと、
データの記憶を行うハードディスクユニットと、
電池パックが収納される電池パック収納部とを具備し、
前記下筐体内の前記連結部分側に前記アンテナを載置し、下筐体内の前記連結部分と反対側に前記ハードディスクユニットを載置し、前記アンテナとハードディスクユニットとの間に前記電池パック収納部を載置したことを特徴とする携帯無線端末。
【請求項２】
上筐体と下筐体が回動自在に連結した携帯無線端末にあって、
電波の送信受信を行うアンテナと、
データの記憶を行うハードディスクユニットと、
電池パックが収納される電池パック収納部と、
前記アンテナに接続されて無線信号処理を行う無線ユニットとを具備し、
前記下筐体内の前記連結部分側に前記アンテナを載置し、下筐体内の前記連結部分と反対側に前記ハードディスクユニットを載置し、前記アンテナとハードディスクユニットとの間に前記電池パック収納部を載置し、前記電池パック収納部と重なると共に前記ハードディスクユニットと重ならない位置に前記無線ユニットを載置したことを特徴とする携帯無線端末。
【請求項３】
上筐体と下筐体が回動自在に連結した携帯無線端末にあって、
電波の送信受信を行うアンテナと、
データの記憶を行うハードディスクユニットと、
電池パックが収納される電池パック収納部とを具備し、
前記下筐体内の前記連結部分と反対側に前記アンテナを載置し、下筐体内の前記連結部分側に前記ハードディスクユニットを載置し、前記アンテナとハードディスクユニットとの間に前記電池パック収納部を載置したことを特徴とする携帯無線端末。
【請求項４】
上筐体と下筐体が回動自在に連結した携帯無線端末にあって、
電波の送信受信を行うアンテナと、
データの記憶を行うハードディスクユニットと、
電池パックが収納される電池パック収納部と、
前記アンテナに接続されて無線信号処理を行う無線ユニットとを具備し、
前記下筐体内の前記連結部分と反対側に前記アンテナを載置し、下筐体内の前記連結部分側に前記ハードディスクユニットを載置し、前記アンテナとハードディスクユニットとの間に前記電池パック収納部を載置し、前記電池パック収納部と重なると共に前記ハードディスクユニットと重ならない位置に前記無線ユニットを載置したことを特徴とする携帯無線端末。
【発明の詳細な説明】
【技術分野】
【０００１】
本発明は、ハードディスクユニットを備える携帯無線端末に関するもので、特に、ハードディスクユニットとアンテナなどの配置構造に関する。
【背景技術】
【０００２】
（背景技術１）
近年、ハードディスクユニットを搭載した携帯電話機が市場に現れつつある。これらの携帯電話機は、上筐体と下筐体が回動自在に繋がれた折り畳み式で、下筐体側にハードディスクユニットとバッテリーが重ねる配置で搭載されている。そのため、下筐体が厚くなってしまっている。
【０００３】
（背景技術２）
磁気ディスク装置を備える折り畳み式の携帯情報端末がある（例えば、特許文献１参照。）。この特許文献１の第１実施形態の図１、図４では、本体部（下筐体）に、ＨＤＤとバッテリスペースとが重ならない配置で搭載されている。また、特許文献１の第４実施形態の図７では、アンテナは、通常、受信回路のある本体部（下筐体）に設けられるため、ＨＤＤを蓋部（上筐体）に配置することで、高周波ノイズなどの影響を受け難くしている。
【特許文献１】特開２００５−２８４３３５号公報（第６頁、第９頁、図４、図７）
【発明の開示】
【発明が解決しようとする課題】
【０００４】
背景技術１において、ハードディスクユニットを安易に配置すると携帯電話機のサイズが大きくなってしまう。また、ハードディスクユニットをアンテナの近くに配置すると、ハードディスクユニットが動作中に発生する高周波ノイズによりアンテナに悪影響を及ぼす。これらの、アンテナへの影響を少なくしつつ、携帯電話機のサイズが大きくなりすぎないハードディスクユニットの配置が必要となる。
【０００５】
この課題解決のために、背景技術２（特許文献１）を適用すると、特許文献１の第１実施形態の図４では、本体部（下筐体）にＨＤＤ（ハードディスク）とバッテリーが重ならないように同一面上に配置されており、本体部（下筐体）が厚くならない構造となっている。しかし、高周波ノイズ源となるＨＤＤに対して、高周波ノイズの影響を受けるアンテナの配置構造に関する記載がない。また、特許文献１の第４実施形態の図７では、高周波ノイズなどの影響を受け難くするために、ＨＤＤを蓋部（上筐体）に配置しているが、折り畳まれた状態では、本体側（下筐体）のアンテナと蓋側（上筐体）のＨＤＤとは近接する場合があり、高周波ノイズの影響を受けることがある。また、通常、蓋側（上筐体）を動かして折り畳むため、折り畳みに伴う振動の影響をＨＤＤが受け易いという問題がある。
【０００６】
本発明は、従来の問題点を解決して、ＨＤＤの高周波ノイズの影響を受けにくく、無線性能のよい、コンパクトな形状の携帯無線端末を提供することを目的とする。
【課題を解決するための手段】
【０００７】
上記目的を達成するために、本発明の携帯無線端末は、上筐体と下筐体が回動自在に連結した携帯無線端末にあって、電波の送信受信を行うアンテナと、データの記憶を行うハードディスクユニットと、電池パックが収納される電池パック収納部とを具備し、前記下筐体内の前記連結部分側に前記アンテナを載置し、下筐体内の前記連結部分と反対側に前記ハードディスクユニットを載置し、前記アンテナとハードディスクユニットとの間に前記電池パック収納部を載置したことを特徴とする。
【発明の効果】
【０００８】
本発明によれば、ＨＤＤ動作中の高周波ノイズの影響を受けにくく、無線性能のよい、コンパクトな形状の構造とすることが可能となる。また、ユーザが通話中、下筐体を手で握ってしまうことによる無線性能への影響を未然に防ぐことが可能となる。
【発明を実施するための最良の形態】
【０００９】
以下、本発明の実施例を、図面を参照して説明する。  
【実施例】
【００１０】
図１は、本発明の実施例に係る携帯無線端末の外観図であり、「Ａ：正面図」、「Ｂ：側面図」、「Ｃ：背面図」を示す。携帯無線端末１００をユーザが手に持って通話状態の時の位置を基に、Ｚ方向（上下方向）、Ｘ方向（左右方向）、Ｙ方向（厚さ方向）と以下定義する。  
携帯無線端末１００は、折り畳み式の構造であり、上筐体１と下筐体２がヒンジ３により回動自在に係合している。正面側の上筐体１には、主表示部４が配置され、下筐体２には複数の操作キー５が配置される。背面側の上筐体１には副表示部６が配置される。背面側の下筐体２には電池蓋７が配置され、使用者により取り外すことができる。下筐体２の内部には、上部のヒンジ３近辺にアンテナ８、中央部分に電池パック９と無線ユニット１０、下部にＨＤＤ１１（ハードディスクユニット）が配置される。
【００１１】
図２は、本発明の実施例に係る携帯無線端末の関連部分のブロック図である。携帯無線端末１００の上筐体１側には、主表示部４と副表示部６が搭載され、ケーブル２７により、下筐体２の主基板２２と接続される。下筐体２側には、操作キー５がキー基板２１に搭載され、キー基板２１は主基板２２と接続される。
【００１２】
主基板２２には、無線ユニット１０、アンテナバネ２３、制御部２６、接続ピン２４、ＨＤＤ１１などが搭載される。無線ユニット１０は、無線信号処理を行い、配線パターン２５、アンテナバネ２３を経由してアンテナ８に接続される。アンテナ８は、電波の送信受信を行う。この無線ユニット１０からアンテナ８までの距離は、無線性能の観点から、なるべく短くし、無線ユニット１０をアンテナ８の近傍に配置するのがよい。
【００１３】
制御部２６は、携帯無線端末１００の全体の制御を行う。接続ピン２４は、取り外し自由な電池パック９と携帯無線端末１００の本体とを接続するためのものである。電池パック９は、接続ピン２４を経由して、携帯無線端末１００の全体に電源供給を行う。ＨＤＤ１１は、データの記憶装置である。ＨＤＤ１１は、高周波ノイズを発生しやすい。
【００１４】
図３は、本発明の実施例に係る携帯無線端末の下筐体の側面断面図である。Ｚ方向に比べて、Ｙ方向（厚さ方向）の拡大率を大きくして図示する。携帯無線端末１００の下筐体２の内部には、上部にアンテナ８、下部にＨＤＤ１１が配置され、その間に電池パック収納部２８が配置される。使用者は、電池蓋７を取り外し、電池パック９を装着することができる。下筐体２の内部には、正面側に操作キー５用のキー基板２１が配置される。また、主基板２２が配置される。主基板２２には、無線ユニット１０、アンテナバネ２３、接続ピン２４、ＨＤＤ１１、その他の図示しない部品が搭載される。
【００１５】
無線ユニット１０は、周囲が箱状にシールドされた構造である。また、無線ユニット１０は、主基板２２の配線パターン２５およびアンテナバネ２３を経由して、アンテナ８と電気的に接続される。無線ユニット１０とアンテナ８が、近傍に配置されることにより、無線性能を向上することができる。
【００１６】
電池パック９のプラス極とマイナス極は、バネ状の接続ピン２４に押し当てられることにより、主基板２２と電気的に接続され、携帯無線端末１００の各部へ電源を供給する。このマイナス極は、携帯無線端末１００の接地レベルに接続される。また、電池パック９自体の構造は、金属の外周部で封印された構造であり、この金属外周部もマイナス極に接続されて携帯無線端末１００の接地レベルに接続してもよい。
【００１７】
次に、ＨＤＤ１１が発生する高周波ノイズによる他部への影響について説明する。無線ユニット１０に対しては、無線ユニット１０自体の周囲が箱状にシールドされた構造であるため、影響は少ないが、更に、ＨＤＤ１１とは重ならない位置に無線ユニット１０が配置されているため、高周波ノイズが無線回路に乗らないで済む効果がある。アンテナ８に対しては、アンテナ８とＨＤＤ１１との間に金属外周部を有する電池パック９が配置されており、電池パック９自体がシールド効果となって、ＨＤＤ１１が発生する高周波ノイズのアンテナ８への影響を低減することができる。  
なお、無線ユニット１０は、主基板２２の正面側に搭載した構造としたが、主基板２２の背面側、すなわち、主基板２２と電池パック９の間に空間を設けて、そこに搭載するようにしてもよい。
【００１８】
この実施例によれば、ＨＤＤ１１が発生する高周波ノイズが電池パック９によりシールドされて、アンテナ８への影響を低減することができる。また、アンテナ８の近傍に無線ユニット１０を配置することにより、無線性能を向上することができる。無線ユニット１０と電池パック９の厚さは、ＨＤＤ１１に比べると薄いため、無線ユニット１０と電池パック９を重ねるように配置することにより、携帯無線端末１００の寸法をコンパクトにすることができる。
【００１９】
また、アンテナ８が下筐体２のヒンジ３側に配置されているため、ユーザが通話中に、下筐体２を手で握った状態でも、アンテナ８が手で覆われることがなく、無線性能に影響が出ることを未然に防ぐことができる。
【００２０】
図４は、本発明の他の実施例に係る携帯無線端末の下筐体の側面断面図である。図３との相違点は、アンテナ８とＨＤＤ１１などの上下関係の配置を逆にした点である。携帯無線端末１００の下筐体の内部には、上部にＨＤＤ１１、下部にアンテナ８が配置され、その間に電池パック収納部２８が配置される。アンテナ８を下部に配置したことに伴い、無線ユニット１０もその近傍に配置し、主基板２２の配線パターン２５およびアンテナバネ２３を経由して、アンテナ８と電気的に接続される。
【００２１】
この図４の実施例によれば、図３と同様に、ＨＤＤ１１が発生する高周波ノイズが電池パック９によりシールドされて、アンテナ８への影響を低減することができる。また、アンテナ８の近傍に無線ユニット１０を配置することにより、無線性能を向上することができる。無線ユニット１０と電池パック９の厚さは、ＨＤＤ１１に比べると薄いため、無線ユニット１０と電池パック９を重ねるように配置することにより、携帯無線端末１００の寸法をコンパクトにすることができる。
【図面の簡単な説明】
【００２２】
【図１】本発明の実施例に係る携帯無線端末の外観図。
【図２】本発明の実施例に係る携帯無線端末の関連部分のブロック図。
【図３】本発明の実施例に係る携帯無線端末の下筐体の側面断面図。
【図４】本発明の他の実施例に係る携帯無線端末の下筐体の側面断面図。
【符号の説明】
【００２３】
１  上筐体
２  下筐体
３  ヒンジ
４  主表示部
５  操作キー
６  副表示部
７  電池蓋
８  アンテナ
９  電池パック
１０  無線ユニット
１１  下部にＨＤＤ
２１  キー基板
２２  主基板
２３  アンテナバネ
２４  接続ピン
２５  配線パターン
２６  制御部
２７  ケーブル
１００  携帯無線端末
【図１】
2007201762.tif 000003
【図２】
2007201762.tif 000004
【図３】
2007201762.tif 000005
【図４】
2007201762.tif 000006